【手続補正書】
【提出日】平成23年1月31日(2011.1.31)
【手続補正１】
【補正対象書類名】特許請求の範囲
【補正対象項目名】全文
【補正方法】変更
【補正の内容】
【特許請求の範囲】
【請求項１】
画像内の関心領域を規定することと、前記関心領域に関する情報を用いて表示用の前記画像の特性を決定することとを包含する、表示方法。
【請求項２】
前記規定することが、画像受信器で前記関心領域を規定することを包含する、請求項１に記載の方法。
【請求項３】
前記規定することが、前記画像を感知するカメラで規定することを包含する、請求項１および２のいずれかひとつに記載の方法。
【請求項４】
前記規定することが、前記画像を編集しながら前記関心領域を規定することを包含する、請求項１および２のいずれかひとつに記載の方法。
【請求項５】
前記規定することが、前記画像を表示する表示装置で前記関心領域を規定することを包含する、請求項１に記載の方法。
【請求項６】
前記規定することが、画像プレーヤで前記関心領域を規定することを包含する、請求項１に記載の方法。
【請求項７】
前記規定することが、ビデオレコーダで前記関心領域を規定することを包含する、請求項１に記載の方法。
【請求項８】
前記規定することが、前記関心領域を選択する人によって実施される、請求項１から７のいずれかひとつに記載の方法。
【請求項９】
前記規定することが、アルゴリズムを用いて自動的に実施される、請求項１から８のいずれかひとつに記載の方法。
【請求項１０】
前記情報を用いることが、輝度の調整に備えることを包含する、請求項１から９のいずれかひとつに記載の方法。
【請求項１１】
前記情報を用いることが、グレイ濃淡度（グレースケール）の調整に備えることを包含する、請求項１から１０のいずれかひとつに記載の方法。
【請求項１２】
前記グレイ濃淡度の調整に備えることが、入力信号のグレイ濃淡度範囲を伸張してより広いグレイ濃淡度範囲にすることを包含する、請求項１１に記載の方法。
【請求項１３】
前記伸張することが、補間することを包含する、請求項１２に記載の方法。
【請求項１４】
前記情報を用いることが、前記関心領域に関する画像情報をビデオ信号ストリーム内に供給することを包含する、請求項１から１３のいずれかひとつに記載の方法。
【請求項１５】
前記情報を供給することが、前記関心領域に関する前記画像情報を符号化し前記符号化された情報をビデオ信号ストリーム内に供給することを包含する、請求項１４に記載の方法。
【請求項１６】
前記情報を供給することが、前記関心領域に関する前記情報をメタデータとして供給することを包含する、請求項１から１５のいずれかひとつに記載の方法。
【請求項１７】
前記メタデータを供給することが、前記メタデータをビデオ信号ストリームの未使用空間に供給することを包含する、請求項１６に記載の方法。
【請求項１８】
前記メタデータを供給することが、前記関心領域に関する前記情報を前記ビデオストリームのうちのビデオ画像とは別のビデオストリームに供給することを包含する、請求項１から１７のいずれかひとつに記載の方法。
【請求項１９】
前記関心領域に関する前記情報を、表示用の前記画像を調整する際に用いるメタデータとして供給することをさらに包含する、請求項１から１８のいずれかひとつに記載の方法。
【請求項２０】
前記関心領域に関する前記情報を用いて前記画像ソースで前記画像のＳＳＢＣプロファイルを計算する、請求項１から１９のいずれかひとつに記載の方法。
【請求項２１】
前記画像が得られる部分で前記ＳＳＢＣプロファイルが用意される、請求項２０に記載の方法。
【請求項２２】
前記画像が用意される、または表示用に供給される部分で前記ＳＳＢＣプロファイルが用意される、請求項２０に記載の方法。
【請求項２３】
画像を表示するための表示装置で前記ＳＳＢＣプロファイルが用意される、請求項２０に記載の方法。
【請求項２４】
ＳＳＢＣ法を用いて調整されているビデオ信号を表示装置に供給して１以上の画像を提示することと、前記１以上の画像を表示することとをさらに包含する、請求項１から２３のいずれかひとつに記載の方法。
【請求項２５】
画像表示方法であって、画像信号を表示装置に供給することを包含し、前記画像信号が表示画像の関心領域の画像特性に基づいて調整される、方法。
【請求項２６】
前記画像信号が前記関心領域のＳＳＢＣプロファイルに基づいて調整される、請求項２５に記載の方法。
【請求項２７】
前記関心領域の前記画像特性に関する情報がメタデータ内に供給される、請求項２５または２６に記載の方法。
【請求項２８】
前記メタデータがビデオ信号を備える、請求項２７に記載の方法。
【請求項２９】
表示画像の質を向上させる方法であって、前記表示画像の関心領域の画像特性に基づいて前記表示画像の前記特性を調整することを包含する、方法。
【請求項３０】
前記調整することが、前記関心領域のＳＳＢＣプロファイルに基づいて前記画像特性を調整することを包含する、請求項２９に記載の方法。
【請求項３１】
前記方法が実施されるハードウェアが、前記関心領域を決定する１以上のルールを含み、前記関心領域が前記１以上のルールに基づいて決定される、請求項１から３０のいずれかひとつに記載の方法。
【請求項３２】
前記関心領域が、画像のフレームサイズ全体よりも小さい、請求項１から３１のいずれかひとつに記載の方法。
【請求項３３】
前記関心領域が、画像のフレームサイズ全体と前記画像のフレームサイズ全体よりも小さいサイズとの間のサイズを有する、請求項１から３１のいずれかひとつに記載の方法。
【請求項３４】
前記関心領域を決定するために、前記画像のうち比較的合焦していない部分に比べて合焦している部分を用いることを包含する、請求項１から３３のいずれかひとつに記載の方法。
【請求項３５】
顔を関心領域として識別するために顔認識ソフトウェアを用いることを包含する、請求項１から３３のいずれかひとつに記載の方法。
【請求項３６】
前記関心領域を決定するために、前記画像のうち動いている背景部に比べて静止しているものを用いることを包含する、請求項１から３３のいずれかひとつに記載の方法。
【請求項３７】
前記関心領域を決定するために、前記画像のうち静止している背景部に比べて動いているものを用いることを包含する、請求項１から３３のいずれかひとつに記載の方法。
【請求項３８】
表示用信号を用意する装置であって、画像の関心領域を決定する手段と、前記関心領域の画像特性に基づいて画像信号を調整するように適合されたプロセッサとを包含する、装置。
【請求項３９】
前記プロセッサがコンピュータを包含する、請求項３８に記載の装置。
【請求項４０】
前記プロセッサが、前記関心領域の前記画像特性に基づいて前記画像信号用に前記画像のＳＳＢＣプロファイルを演算するように適合されている、請求項３８または３９に記載の装置。
【請求項４１】
前記プロセッサが、メタデータとしてのＳＳＢＣプロファイルと前記画像信号とを組み合わせるように適合されている、請求項４０に記載の装置。
【請求項４２】
前記プロセッサが、前記関心領域の前記画像特性に関する情報を画像信号ストリーム内に供給するように適合されており、前記プロセッサが、前記情報を符号化情報として前記画像信号ストリーム内に供給するように適合されている、請求項３８に記載の装置。
【請求項４３】
液晶表示装置と、画像信号に応答して前記液晶表示装置で画像を提示する前記表示装置内の回路とを包含する、表示システムであって、前記回路が、画像内の規定された関心領域の画像特性に基づいて前記画像のＳＳＢＣプロファイルを演算するように適合されたプロセッサを含む、表示システム。
【請求項４４】
前記プロセッサが、受信したビデオ信号に含まれており且つ前記関心領域の画像特性を表すメタデータに基づいてＳＳＢＣプロファイルを演算するように適合されている、請求項４３に記載の表示システム。
【請求項４５】
前記プロセッサに応答する前記表示装置が、前記表示装置に供給された画像フレームのそれぞれの関心領域のＳＳＢＣプロファイルに基づいて画像を表示する、請求項４４に記載の表示システム。
【請求項４６】
画像の関心領域を決定する装置と、前記関心領域のＳＳＢＣプロファイルを計算するプロセッサとを包含する、画像表示装置。